(57)【要約】【課題】ハウジングの化粧パネルへの取り付け作業性を容易にし、かつデザイン性を向上させることができる照明ユニットを提供すること。【解決手段】発光部１２を有してなる発光機能部１０と、発光機能部１０が収容されるハウジング２０と、屈曲された面を形成されてなる化粧パネル４０とを有してなる照明ユニット１であって、ハウジング２０が裏面４１ａに向かい合う第一の面２１ｃと、裏面４２ａに向かい合う第二の面２１ｄとを有し、第一の光透過部２２が第一の平行面２２ｄが形成されてなる第一の突出部２２ａを有し、第二の光透過部２３が第二の平行面２３ｂが形成されてなる第二の突出部２３ａを有し、第一の開口部４４が第一の平行面２２ｄに向かい合う位置に第一の平行面２２ｄに平行な第一のガイド面４４ａが形成され、第二の開口部４５が第二の平行面２３ｂに向かい合う位置に第二の平行面２３ｂに平行な第二のガイド面４５ａが形成されてなる。【選択図】図２
2013022990.tif 000002
【特許請求の範囲】
【請求項１】
光を発する発光部を有してなる発光機能部と、該発光機能部が防水可能に収容され、光が透過される第一の光透過部および第二の光透過部を有してなるハウジングと、屈曲された面を形成する第一の取り付け壁および第二の取り付け壁が形成され、かつ前記ハウジングがガイド部によって一方向のガイド方向に移動を規制されて取り付けされ、前記第一の取り付け壁に形成された第一の開口部内に前記第一の光透過部が配置され、前記第二の取り付け壁に形成された第二の開口部内に前記第二の光透過部が配置されることによって前記発光部の光が出射される化粧パネルと、を有してなる照明ユニットであって、
前記ハウジングは、
前記第一の取り付け壁の裏面に向かい合う第一の面と、前記第二の取り付け壁の裏面に向かい合う第二の面と、を有してなり、
前記第一の光透過部は、
前記ガイド部によるガイド方向に平行な第一の平行面が形成され、かつ前記第一の面から突出されてなる第一の突出部を有してなり、
前記第二の光透過部は、
前記ガイド部によるガイド方向に平行な第二の平行面が形成され、かつ前記第二の面から突出されてなる第二の突出部を有してなり、
前記第一の開口部は、
開口内の前記第一の平行面に向かい合う位置に前記第一の平行面に平行な第一のガイド面が形成されてなり、
前記第二の開口部は、
開口内の前記第二の平行面に向かい合う位置に前記第二の平行面に平行な第二のガイド面が形成されてなることを特徴とする照明ユニット。
【請求項２】
前記第一の突出部は、
高さが前記第一の取り付け壁の厚みと等しく形成されてなり、
前記第二の突出部は、
高さが前記第二の取り付け壁の厚みと等しく形成されてなることを特徴とする請求項１に記載の照明ユニット。
【請求項３】
前記化粧パネルは、
前記第一の取り付け壁が垂直方向に設けられ、前記第二の取り付け壁が水平方向に設けられることによって直角に屈曲されてなり、
前記ガイド部は、
前記第一の取り付け壁の裏面から斜め上方に端部を向けるように延在して設けられてなる第一のガイド壁と、
前記第一のガイド壁に平行かつ前記第一のガイド壁との間に前記ハウジングが配置可能に間隔を空けて前記第二の取り付け壁の裏面から上方に端部を向けるように延在して設けられてなる第二のガイド壁と、
を有してなり、
前記ハウジングは、
前記第一のガイド壁と前記第二のガイド壁の間で垂直方向に対して傾斜されて前記化粧パネルに取り付けられることを特徴とする請求項１または２に記載の照明ユニット。
【請求項４】
前記ハウジングは、
前記ガイド部によって取り付け位置に保持される保持部を有してなることを特徴とする請求項１、２または３に記載の照明ユニット。
【発明の詳細な説明】
【技術分野】
【０００１】
本発明は、光を発する発光部を有してなる発光機能部と、該発光機能部が防水可能に収容されるハウジングと、該ハウジングが取り付けられる化粧パネルとを有してなる照明ユニットに関する。
【背景技術】
【０００２】
従来、ＬＥＤ（発光ダイオード）等の発光部を有してなる発光機能部が車両等の室内の化粧パネルに取り付けされる場合、防水性を高めるため、発光機能部をハウジング内に収容するようにしている。例えば、特許文献１には、ＬＥＤを有してなる発光機能部が、合成樹脂性のケース内に収容される照明ユニットが提案されている。
【０００３】
この特許文献１に記載された照明ユニットは、ドア開口部の下方にサイドガーニッシュ（化粧パネル）を設け、このサイドガーニッシュの下面に、灯体およびこの灯体を保持する灯体ガーニッシュ（化粧パネル）を配置するようになっている。
【先行技術文献】
【特許文献】
【０００４】
【特許文献１】特開２０１０−２５４２５７号公報
【発明の概要】
【発明が解決しようとする課題】
【０００５】
ところで、このような照明ユニットには、屈曲された面を形成する壁を有してなる化粧パネルの向きの異なる壁のそれぞれに形成された開口から光を出射させるようにしたものがある。例えば、図１２に示すように、２箇所の発光部２００から発せれる光が、化粧パネル２１０の屈曲された面２１０ａを形成する各壁２１１，２１２に形成された２箇所の開口部２１１ａ，２１２ａから出射させるようにした照明ユニット５００がある。このような照明ユニット５００は、ハウジング３００に発光部Ｌから発せられる光が透過される突出部３１１、３１２が形成され、この突出部３１１、３１２が化粧パネル２１０の開口部２１１ａ，２１２ａ内に配置されることによって開口部２１１ａ，２１２ａによる段差を低減し、デザイン性を向上させるようにしている。
【０００６】
このような照明ユニット５００は、ハウジング３００の化粧パネル２１０への取り付け作業性を考慮すると、ハウジング３００がガイド部４００によって一方向のガイド方向Ｄでの移動によって化粧パネル２１０に取り付されるようにすることが好ましい。しかしながら、このようなガイド部４００を用いた場合、一方向の移動によって開口部２１１ａ，２１２ａ内に配置され難い箇所の突出部３１１を設けないようにしなければならなかった。
【０００７】
すなわち、ハウジングの化粧パネルへの取り付け作業性、およびデザイン性
の両方を向上させることが難しいという問題があった。
【０００８】
本発明は、上記に鑑みてなされたものであって、ハウジングの化粧パネルへの取り付け作業性を容易にし、かつデザイン性を向上させることができる照明ユニットを提供することを目的とする。
【課題を解決するための手段】
【０００９】
上述した課題を解決し、目的を達成するために、本発明の請求項１にかかる照明ユニットは、光を発する発光部を有してなる発光機能部と、該発光機能部が防水可能に収容され、光が透過される第一の光透過部および第二の光透過部を有してなるハウジングと、屈曲された面を形成する第一の取り付け壁および第二の取り付け壁が形成され、かつ前記ハウジングがガイド部によって一方向のガイド方向に移動を規制されて取り付けされ、前記第一の取り付け壁に形成された第一の開口部内に前記第一の光透過部が配置され、前記第二の取り付け壁に形成された第二の開口部内に前記第二の光透過部が配置されることによって前記発光部の光が出射される化粧パネルと、を有してなる照明ユニットであって、前記ハウジングは、前記第一の取り付け壁の裏面に向かい合う第一の面と、前記第二の取り付け壁の裏面に向かい合う第二の面と、を有してなり、前記第一の光透過部は、前記ガイド部によるガイド方向に平行な第一の平行面が形成され、かつ前記第一の面から突出されてなる第一の突出部を有してなり、前記第二の光透過部は、前記ガイド部によるガイド方向に平行な第二の平行面が形成され、かつ前記第二の面から突出されてなる第二の突出部を有してなり、前記第一の開口部は、開口内の前記第一の平行面に向かい合う位置に前記第一の平行面に平行な第一のガイド面が形成されてなり、前記第二の開口部は、開口内の前記第二の平行面に向かい合う位置に前記第二の平行面に平行な第二のガイド面が形成されてなることを特徴とする。
【００１０】
また、本発明の請求項２にかかる照明ユニットは、上記の発明において、前記第一の突出部は、高さが前記第一の取り付け壁の厚みと等しく形成されてなり、前記第二の突出部は、高さが前記第二の取り付け壁の厚みと等しく形成されてなることを特徴とする。
【００１１】
また、本発明の請求項３にかかる照明ユニットは、上記の発明において、前記化粧パネルは、前記第一の取り付け壁が垂直方向に設けられ、前記第二の取り付け壁が水平方向に設けられることによって直角に屈曲されてなり、前記ガイド部は、前記第一の取り付け壁の裏面から斜め上方に端部を向けるように延在して設けられてなる第一のガイド壁と、前記第一のガイド壁に平行かつ前記第一のガイド壁との間に前記ハウジングが配置可能に間隔を空けて前記第二の取り付け壁の裏面から上方に端部を向けるように延在して設けられてなる第二のガイド壁と、を有してなり、前記ハウジングは、前記第一のガイド壁と前記第二のガイド壁の間で垂直方向に対して傾斜されて前記化粧パネルに取り付けられることを特徴とする。
【００１２】
本発明の請求項４にかかる照明ユニットは、上記の発明において、前記ハウジングは、前記ガイド部によって取り付け位置に保持される保持部を有してなることを特徴とする。
【発明の効果】
【００１３】
本発明の請求項１にかかる照明ユニットは、前記ガイド部によって一方向のガイド方向に移動されることによって、前記第一の突出部が、前記第一の平行面２が前記第一のガイド面にガイドされて前記第一の開口部内に配置され、前記第二の突出部が、前記第二の平行面が前記第二のガイド面にガイドされて前記第二の開口部内に配置されるので、前記ハウジングが一方向での移動によって前記化粧パネルに取り付けられ、しかも前記第一の開口部および前記第二の開口部の段差を低減することができるので、ハウジングの化粧パネルへの取り付け作業性を容易にし、かつデザイン性を向上させることができる。
【００１４】
本発明の請求項２にかかる照明ユニットは、上述した請求項１と同様の効果を奏するとともに、前記第一の突出部が、高さが前記第一の取り付け壁の厚みと等しく形成されてなり、前記第二の突出部が、高さが前記第二の取り付け壁の厚みと等しく形成されてなるので、前記第一の開口部および前記第二の開口部による段差が無くなり、結果的にデザイン性を向上させることができる。
【００１５】
本発明の請求項３にかかる照明ユニットは、上述した請求項１と同様の効果を奏するとともに、前記化粧パネルが、前記第一の取り付け壁が垂直方向に設けられ、前記第二の取り付け壁が水平方向に設けられることによって直角に屈曲されてなり、前記ガイド部が、前記第一の取り付け壁の裏面から斜め上方に端部を向けるように延在して設けられてなる第一のガイド壁と、前記第一のガイド壁に平行かつ前記第一のガイド壁との間に前記ハウジングが配置可能に間隔を空けて前記第二の取り付け壁の裏面から上方に端部を向けるように延在して設けられてなる第二のガイド壁と、を有してなり、前記ハウジングが前記第一のガイド壁と前記第二のガイド壁の間で垂直方向に対して傾斜されて前記化粧パネルに取り付けられるので、低背化することができる。
【００１６】
本発明の請求項４にかかる照明ユニットは、上述した請求項１と同様の効果を奏するとともに、前記ハウジングは、前記ガイド部によって取り付け位置に保持される保持部を有してなるので、前記ハウジングを前記化粧パネルの取り付け位置に確実に保持することができる。
【図面の簡単な説明】
【００１７】
【図１】図１は、本発明の実施の形態１にかかる照明ユニットの要部斜視図である。
【図２】図２は、図１に示した照明ユニットのＡ−Ａ線断面図である。
【図３】図３は、図１に示したハウジングを開口部側から視た斜視図である。
【図４】図４は、図１に示したハウジングを第一の面側から視た斜視図である。
【図５】図５は、化粧パネルへのハウジングの取り付け手順を示した図である。
【図６】図６は、本発明の実施の形態１にかかる照明ユニットの変形例の照明ユニットの要部断面図である。
【図７】図７は、本発明の実施の形態２にかかる照明ユニットの要部斜視図である。
【図８】図８は、図７に示した照明ユニットをガイド壁の側面側から視た図である。
【図９】図９は、図７に示したハウジングを第一の面側から視た斜視図である。
【図１０】図１０は、図７に示したハウジングの第一の面を形成する壁に対向する壁側から視た斜視図である。
【図１１】図１１は、化粧パネルへのハウジングの取り付け手順を示した図である。
【図１２】図１２は、従来技術を説明するための図である。
【発明を実施するための形態】
【００１８】
以下、図面を参照して、本発明にかかる照明ユニットの好適な実施の形態を詳細に説明する。
【００１９】
（実施の形態１）
図１は、本発明の実施の形態１にかかる照明ユニット１の要部斜視図である。図２は、図１に示した照明ユニット１のＡ−Ａ線断面図である。図３は、図１に示したハウジング２０を開口部２１ａ側から視た斜視図である。図４は、図１に示したハウジング２０を第一の面２１ｃ側から視た斜視図である。
【００２０】
本発明の実施の形態１にかかる照明ユニット１は、光を発する発光部１２としてのＬＥＤ素子１２を有してなる発光機能部１０と、発光機能部１０が防水可能に収容され、光が透過される第一の光透過部２２および第二の光透過部２３を有してなるハウジング２０と、屈曲された面４３を形成する第一の取り付け壁４１および第二の取り付け壁４２とが形成され、かつハウジング２０がガイド部６０によって一方向に移動を規制されて取り付けされ、第一の取り付け壁４１に形成された第一の開口部４４内に第一の光透過部２２が配置され、第二の取り付け壁４２に形成された第二の開口部４５内に第二の光透過部２３が配置されることによって発光部１２の光が出射される化粧パネル４０とを有してなる。
【００２１】
まず、発光機能部１０について説明する。
発光機能部１０は、回路基板１１と、二つのＬＥＤ素子１２と、電線Ｗとを有してなる。
回路基板１１は、いわゆるプリント配線板によって実現され、電源回路等の導体パターンが形成されている。この回路基板１１は、各面１１ａ，１１ｂに一つずつ、合計二つのＬＥＤ素子１２が実装されている。この実施の形態１では、回路基板１１は、基板上に形成された図示しない端子を介して、信号線、あるいは給電線としての複数の電線Ｗに接続されている。
【００２２】
二つのＬＥＤ素子１２の各ＬＥＤ素子１２は、箱状のパッケージの表面に発光部があり、図示しない電源入力端子が回路基板１１の図示しない電源回路に接続されている。図示しない電源回路は、回路基板１１上に設けられた図示しない端子を介して電線Ｗに接続されている。各ＬＥＤ素子１２は、電源回路を介して電源を供給されることによって点灯するようになっている。
二つのＬＥＤ素子１２のうち、回路基板１１の一方の面に配置されたＬＥＤ素子１２（以下、第一のＬＥＤ素子１２ａと称する。）は、白色光を発し、室内灯として機能するものである。
また、回路基板１１の他方の面に配置されたＬＥＤ素子１２（以下、第二のＬＥＤ素子１２ｂと称する。）は、例えば、オレンジ色の光を発し、色の種類によって、充電対象の充電状態を示している。
【００２３】
次に、ハウジング２０について説明する。
ハウジング２０は、発光機能部１０が収容されるハウジング本体部２１と、第一の光透過部２２と、第二の光透過部２３と、係合凸部２４と、係合凹部２５と、蓋部２６とを有してなる。
ハウジング本体部２１は、光透過性を有するポリカーボネイト等の合成樹脂材からなり、一端に発光機能部１０が挿入可能に開口された開口部２１ａを有する有底の筒状をなし、光発機能部１０が収容される収容部２１ｂと、化粧パネル４０の第一の取り付け壁４１の裏面４１ａに向かい合う第一の面２１ｃと、第二の取り付け壁４２の裏面４２ａに向かい合う第二の面２１ｄとを有してなる。
より具体的には、ハウジング本体部２１は、第一の面２１ｃと第二の面２１ｄとによって直角に屈曲された面２１ｅが形成され、この屈曲された面２１ｅが、化粧パネル４０の第一の取り付け壁４１の裏面４１ａおよび第二の取り付け壁４２の裏面４２ａによって形成された屈曲された面４３に向かい合って配置されるようになっている。
【００２４】
第一の光透過部２２は、収容部２１ｂ内の第一のＬＥＤ素子１２ａの近傍で向かい合う位置に設けられ、第一のＬＥＤ素子１２ａから発せられる光が透過され易いようになっている。この第一の光透過部２２は、ガイド部６０によるガイド方向Ｄに平行な第一の平行面２２ｂが形成され、かつ第一の面２１ｃから突出されてなる第一の突出部２２ａを有してなる。第一の突出部２２ａは、高さが第一の取り付け壁４１の厚みと等しく形成されてなる。このため、第一の突出部２２ａが第一の開口部４４内に配置された場合、第一の突出部２２ａの上端面２２ｃと第一の取り付け壁４１の表側の面４１ｂとが揃えられて第一の開口部４４による段差が生じないようになっている。
【００２５】
第二の光透過部２３は、ガイド部６０によるガイド方向Ｄに平行な第二の平行面２３ｂが形成され、かつ第二の面２１ｄから突出されてなる第二の突出部２３ａを有してなる。第二の突出部２３ａは、高さが第二の取り付け壁４２の厚みと等しく形成されてなる。このため、第二の突出部２３ａが第二の開口部４５内に配置された場合、第二の突出部２３ａの上端面２３ｃと第二の取り付け壁４２の表側の面４２ｂが揃えられて第二の開口部４５による段差が生じないようになっている。
【００２６】
係合凸部２４は、ハウジング本体部２１の側壁外面２１ｆから突出され、ハウジング２０が化粧パネル４０の取り付け位置に配置された場合、後述する挿通開口部６２ｂ内に挿通されることによってハウジング２０を化粧パネル４０に保持させる保持部として機能するものである。
【００２７】
係合凹部２５は、ハウジング本体部２１の側壁外面２１ｆに形成された凹み部分であり、ハウジング２０が化粧パネル４０の取り付け位置に配置された場合、後述する係合突出部６１ｃと係合されるよってハウジング２０を化粧パネル４０に保持させる保持部として機能するものである。
【００２８】
蓋部２６は、ハウジング本体部２１の開口部２１ａを塞ぐ防水詮として機能するものである。この蓋部２６に形成された不図示の電線引き出し孔から防水性を維持しつつ複数の電線Ｗがハウジング２０外に引き出されるようになっている。
【００２９】
次に、化粧パネル４０について説明する。
化粧パネル４０は、遮光性を有し、かつ表側の面４１ｂに装飾等が施されるようになっている。
この化粧パネル４０は、第一の取り付け壁４１が垂直方向に設けられ、第二の取り付け壁４２が水平方向に設けられることによって裏面側に直角に屈曲された面４３が形成されるようになっている。
また、化粧パネル４０は、第一の取り付け壁４１に第一の開口部４４が形成され、第二の取り付け壁４２に第二の開口部４５が形成されてなる。
第一の開口部４４は、開口内の第一の平行面２２ｂに向かい合う位置に第一の平行面２２ｂに平行な第一のガイド面４４ａが形成されてなる。
第二の開口部４５は、第二の開口部４５は、開口内の第二の平行面２３ｂに向かい合う位置に第二の平行面２３ｂに平行な第二のガイド面４５ａが形成されてなる。
このため、ハウジング２０がガイド方向Ｄに移動されて化粧パネル４０に取り付けられる際、第一の突出部２２ａの第一の平行面２２ｂが第一のガイド面４４ａにガイドされて第一の突出部２２ａが第一の開口部４４内に配置され、第二の突出部２３ａの第二の平行面２３ｂが第二のガイド面４５ｂにガイドされて第二の突出部２３ａが第二の開口部４５内に配置されるようになっている。
【００３０】
次に、ガイド部６０について説明する。
ガイド部６０は、ハウジング２０が一方向のガイド方向Ｄに移動を規制されて化粧パネル４０に取り付けされるように化粧パネル４０に対するハウジング２０の移動をガイドするものである。
ガイド部６０は、第一のガイド壁６１および第二のガイド壁６２を有してなる。
【００３１】
第一のガイド壁６１は、第一の取り付け壁４１の裏面４１ａから斜め上方に端部６１ａを向けるように延在して設けられてなる。
また、第一のガイド壁６１は、端部６１ａに壁面６１ｂから突出されてなる係合突出部６１ｃを有してなる。この係合突出部６１ｃは、ハウジング２０に設けられた係合凹部２５に係合されるようになっている。
【００３２】
第二のガイド壁６２は、第一のガイド壁６１に平行、かつ第一のガイド壁６１との間にハウジング２０が挿入可能な間隔を空けて第二の取り付け壁４２の裏面４２ａから上方に端部６２ａを向けるように延在して設けられてなる。
また、第二のガイド壁６２は、挿通開口部６２ｂが設けられてなる。この挿通開口部６２ｂは、第二のガイド壁６２の端部６２ａに形成された開口であり、ハウジング２０に設けられた係合凸部２４が挿通されるようになっている。
このようなガイド部６０によって、ハウジング２０が一方向のガイド方向Ｄに沿って化粧パネル４０の取り付け位置までガイドされ、係合突出部６１ｃと、挿通開口部６２ｂとによって化粧パネル４０に保持されるようになっている。
【００３３】
ここで、図５を用いて、化粧パネル４０へのハウジング２０の取り付け手順について説明する。図５は、化粧パネル４０へのハウジング２０の取り付け手順を示した図である。
【００３４】
まず、作業者は、発光機能部１０が収容されたハウジング２０を、化粧パネル４０の取り付け位置に向けて移動させる（図５（ａ））。この化粧パネル４０の取り付け位置への移動の際、ハウジング２０は第一のガイド壁６１および第二のガイド壁６２の間で移動方向が規制されることによって一方向のガイド方向Ｄに沿って移動される。
【００３５】
次に、作業者は、ガイド方向Ｄに沿ってハウジング２０をさらに移動させてハウジング２０を化粧パネル４０への取り付け位置に配置させる（図５（ｂ））。このハウジング２０のガイド方向Ｄでの移動によって、第一の突出部２２ａが第一の開口部４４内に挿入開始され、かつ第二の突出部２３ａが第二の開口部４５に挿入開始されると、第一の突出部２２ａの第一の平行面２２ｂが第一のガイド面４４ａにガイドされて第一の突出部２２ａが第一の開口部４４内に配置され、第二の突出部２３ａの第二の平行面２３ｂが第二のガイド面４５ａにガイドされて第二の突出部２３ａが第二の開口部４５内に配置される。
また、ハウジング２０が化粧パネル４０の取り付け位置に配置されると、係合凸部２４が挿通開口部６２ｂに挿通され、かつ係合凹部２５と係合突出部６１ｃとが係合されることによってハウジング２０が化粧パネル４０に保持される。
【００３６】
本発明の実施の形態１にかかる照明ユニット１は、ガイド部６０によって一方向のガイド方向Ｄに移動されることによって、第一の突出部２２ａが、第一の平行面２２ｂが第一のガイド面４４ａにガイドされて第一の開口部４４内に配置され、第二の突出部２３ａが、第二の平行面２３ｂが第二のガイド面４５ａにガイドされて第二の開口部４５内に配置されるので、ハウジング２０が一方向での移動によって化粧パネル４０に取り付けられ、しかも第一の開口部４４および第二の開口部４５の段差を低減することができるので、ハウジング２０の化粧パネル４０への取り付け作業性を容易にし、かつデザイン性を向上させることができる。
【００３７】
また、本発明の実施の形態１にかかる照明ユニット１は、第一の突出部２２ａが、高さが第一の取り付け壁４１の厚みと等しく形成されてなり、第二の突出部２３ａが、高さが第二の取り付け壁４２の厚みと等しく形成されてなるので、第一の開口部４４および第二の開口部４５による段差が無くなり、結果的にデザイン性を向上させることができる。
【００３８】
また、本発明の実施の形態１にかかる照明ユニット１は、化粧パネル４０が、第一の取り付け壁４１が垂直方向に設けられ、第二の取り付け壁４２が水平方向に設けられることによって直角に屈曲されてなり、ガイド部６０が、第一の取り付け壁４１の裏面４１ａから斜め上方に端部６１ａを向けるように延在して設けられてなる第一のガイド壁６１と、第一のガイド壁６１に平行かつ第一のガイド壁６１との間にハウジング２０が配置可能に間隔を空けて第二の取り付け壁４２の裏面４２ａから上方に端部６２ａを向けるように延在して設けられてなる第二のガイド壁６２とを有してなり、ハウジング２０が第一のガイド壁６１と第二のガイド壁６２の間で垂直方向に対して傾斜されて化粧パネル４０に取り付けられるので、低背化することができる。
【００３９】
また、本発明の実施の形態１にかかる照明ユニット１は、ハウジング２０が、ガイド部６０によって取り付け位置に保持される保持部としての係合凸部２４および係合凹部２５を有してなるので、ハウジング２０を化粧パネル４０の取り付け位置に確実に保持することができる。
【００４０】
（変形例）
ここで、図６を用いて、本発明の実施の形態１にかかる照明ユニット１の変形例である照明ユニット２について説明する。図６は、本発明の実施の形態１にかかる照明ユニット１の変形例の照明ユニット２の要部断面図である。この変形例の照明ユニット２は、ハウジング２０に代わってハウジング７０を有し、化粧パネル４０に代わって化粧パネル８０を有してなる点で実施の形態１の照明ユニット１と異なる。
なお、その他の構成は実施の形態１と同様であり、実施の形態１と同一構成部分には同一符号を付している。
【００４１】
化粧パネル８０は、第一の取り付け壁８１および第二の取り付け壁８２によって鈍角で屈曲された面８３が裏面に形成されるようになっている。
ハウジング７０は、化粧パネル８０の第一の取り付け壁８１の裏面８１ａに向かい合う第一の面７１と、第二の取り付け壁８２の裏面８２ａに向かい合う第二の面７２とを有してなる。
【００４２】
この変形例の照明ユニット２は、ガイド部６０によって一方向のガイド方向Ｄに移動されることによって、第一の突出部２２ａが、第一の平行面２２ｂが第一のガイド面４４ａにガイドされて第一の開口部４４内に配置され、第二の突出部２３ａが、第二の平行面２３ｂが第二のガイド面４５ａにガイドされて第二の開口部４５内に配置されるので、ハウジング２０が一方向での移動によって化粧パネル４０に取り付けられ、しかも第一の開口部４４および第二の開口部４５の段差を低減することができるので、実施の形態１と同様に、ハウジング２０の化粧パネル４０への取り付け作業性を容易にし、かつデザイン性を向上させることができる。
【００４３】
（実施の形態２）
次に、図７−図９を用いて本発明の実施の形態２にかかる照明ユニット３について説明する。図７は、本発明の実施の形態２にかかる照明ユニット３の要部斜視図である。図８は、図７に示した照明ユニット３をガイド壁１５１の側面側から視た図である。図９は、図７に示したハウジング１００を第一の面１１１側から視た斜視図である。図１０は、図７に示したハウジング１００の第一の面１１１を形成する壁に対向する壁側から視た斜視図である。
なお、上述した実施の形態１と同一構成部分には同一符号を付している。
【００４４】
本発明の実施の形態２にかかる照明ユニット３は、光を発する発光部１２としてのＬＥＤ素子１２を有してなる発光機能部１０と、発光機能部１０が防水可能に収容され、光が透過される第一の光透過部１２０および第二の光透過部１３０を有してなるハウジング１００と、屈曲された面１４３を形成する第一の取り付け壁１４１および第二の取り付け壁１４２とが形成され、かつハウジング１００がガイド部１５０によって一方向に移動を規制されて取り付けされ、第一の取り付け壁１４１に形成された第一の開口部１４４内に第一の光透過部１２０が配置され、第二の取り付け壁１４２に形成された第二の開口部１４５内に第二の光透過部１３０が配置されることによって発光部１２の光が出射される化粧パネル１４０とを有してなる。
【００４５】
まず、ハウジング１００について説明する。
ハウジング１００は、発光機能部１０が収容されるものである。このハウジング１００は、発光機能部１０が収容されるハウジング本体部１１０と、第一の光透過部１２０と、第二の光透過部１３０と、４箇所に設けられた柱状凸部１５３と、蓋部１１４とを有してなる。
【００４６】
ハウジング本体部１１０は、光透過性を有するポリカーボネイト等の合成樹脂材からなり、一端に開口部１１０ａを有する有底の角筒状をなし、光発機能部１０が収容される収容部１１０ｂと、化粧パネル１４０の第一の取り付け壁１４１の裏面１４１ａに向かい合う第一の面１１１と、第二の取り付け壁１４２の裏面１４２ａに向かい合う第二の面１１２とを有してなる。
より具体的には、ハウジング本体部１１０は、第一の面１１１と第二の面１１２とによって直角に屈曲された面１１３が形成され、この屈曲された面１１３が、化粧パネル１４０の第一の取り付け壁１４１の裏面１４１ａおよび第二の取り付け壁１４２の裏面１４２ａによって形成された屈曲された面１４３に向かい合って配置されるようになっている。
【００４７】
第一の光透過部１２０は、収容部１１０ｂ内の第一のＬＥＤ素子１２ａの近傍で向かい合う位置に設けられ、第一のＬＥＤ素子１２ａから発せられる光が透過され易いようになっている。この第一の光透過部１２０は、ガイド部１５０によるガイド方向Ｄに平行な一対の第一の平行面１２０ｂが形成され、かつ第一の面１１１から突出されてなる第一の突出部１２０ａを有してなる。第一の突出部１２０ａは、高さが第一の取り付け壁１４１の厚みと等しく形成されてなる。このため、第一の突出部１２０ａが第一の開口部１４４内に配置された場合、第一の突出部１２０ａの上端面１２０ｃと第一の取り付け壁１４１の表側の面１４１ｂとが揃えられて第一の開口部１４４による段差が生じないようになっている。
【００４８】
第二の光透過部１３０は、ガイド部１５０によるガイド方向Ｄに平行な第二の平行面１３０ｂが形成され、かつ第二の面１１２から突出されてなる第二の突出部１３０ａを有してなる。第二の突出部１３０ａは、高さが第二の取り付け壁１４２の厚みと等しく形成されてなる。このため、第二の突出部１３０ａが第二の開口部１４５内に配置された場合、第二の突出部１３０ａの上端面１３０ｃと第二の取り付け壁１４２の表側の面１４２ｂが揃えられて第二の開口部１４５による段差が生じないようになっている。
【００４９】
４箇所に設けられた柱状凸部１５３の各柱状凸部１５３は、図９に示すように、ハウジング本体部１１０の向かい合う一対の側壁１１０ｄの各側壁１１０ｄに２つずつ設けられ、各側壁１１０ｄの側壁外面１１０ｃから円柱状に突出された部分である。このような各柱状凸部１５３は、後述する各切り欠き部１５２内に挿入され、ガイド方向Ｄに移動をガイドされ、かつ化粧パネル１４０の取り付け位置にて保持部として保持されるものである。
【００５０】
蓋部１１４は、ハウジング本体部１１０の開口部１１０ａを塞ぐ防水詮として機能するものである。この蓋部１１４に形成された不図示の電線引き出し孔から防水性を維持しつつ複数の電線Ｗがハウジング１１０外に引き出されるようになっている。
【００５１】
次に、化粧パネル１４０について説明する。
化粧パネル１４０は、遮光性を有し、かつ表側の面１４１ｂに装飾等が施されるようになっている。
この化粧パネル１４０は、第一の取り付け壁１４１が垂直方向に設けられ、第二の取り付け壁１４２が水平方向に設けられることによって裏面側に直角に屈曲された面１４３が形成されるようになっている。
【００５２】
また、化粧パネル１４０は、第一の取り付け壁１４１に第一の開口部１４４が形成され、第二の取り付け壁１４２に第二の開口部１４５が形成されてなる。
第一の開口部１４４は、一対の第一の平行面１２０ｂに平行な面である一対の第一のガイド面１４４ａが各第一の平行面１２０ｂに向かい合う位置に形成されてなる。
第二の開口部１４５は、一対の第二の平行面１３０ｂに平行な面である一対の第二のガイド面１４５ａが各第二の平行面１３０ｂに向かい合う位置に形成されてなる。
【００５３】
このため、ハウジング１１０がガイド方向Ｄに移動されて化粧パネル１４０に取り付けられる際、第一の突出部１２０ａの一対の第一の平行面１２０ｂが一対の第一のガイド面１４４ａにガイドされ、第二の突出部１３０ａの一対の第二の平行面１３０ｂが一対の第二のガイド面１４５ｂにガイドされて、第一の開口部１４４内に第一の突出部１２０ａが配置され、第二の開口部１４５内に第二の突出部１３０ａが配置されるようになっている。
【００５４】
ガイド部１５０は、ハウジング１００が一方向のガイド方向Ｄに移動を規制されて化粧パネル１４０に取り付けされるように化粧パネル１４０に対するハウジング１００の移動をガイドするものである。
ガイド部１５０は、第一の取り付け壁１４１の裏面１４１ａに立設され、ハウジング１００が配置可能に間隔を空けて設けられてなる一対のガイド壁１５１を有してなる。
【００５５】
一対のガイド壁１５１の各ガイド壁１５１には、各柱状凸部１５３に対応した位置に切り欠き部１５２が形成されている。すなわち、各ガイド壁１５１に２箇所ずつ、合計４箇所に切り欠き部１５２が形成されている。
各切り欠き部１５２は、ガイド切り欠き部１５２ａ、および保持切り欠き部１５２ｂを有してなる。
【００５６】
ガイド切り欠き部１５２ａは、ガイド壁部１５１の縁１５１ａからハウジング１００のガイド方向Ｄに沿って直線状に形成された切り欠き部分である。このガイド切り欠き部１５２ａに柱状凸部１５３が挿入されることによって、ハウジング１００がガイド方向Ｄに沿って移動されるようになっている。
【００５７】
保持切り欠き部１５２ｂは、ガイド切り欠き部１５２ａの奥側位置にガイド切り欠き部１５２ａに繋がって形成された切り欠き部分である。この保持切り欠き部１５２ｂは、ガイド切り欠き部１５２ａと繋がる位置にガイド切り欠き部１５２ａのガイド方向Ｄに直交する幅に比して狭く形成されてなる狭小部１５２ｃを有し、柱状凸部１５３の横断面外形形状に沿った円形状に形成されてなる切り欠きである。この保持切り欠き部１５２ｂに柱状凸部１５３が配置されることによって、保持切り欠き部１５２ｂ内で柱状凸部１５３が保持されるようになっている。すなわち、保持切り欠き部１５２ｂは、各柱状凸部１４０が保持切り欠き部１５２ｂ内に配置されることによって、ハウジング１００が化粧パネル１４０に保持される保持部として機能するものである。
【００５８】
このようなガイド部１５０によって、ハウジング１００が一方向のガイド方向Ｄに沿って化粧パネル１４０の取り付け位置までガイドされ、化粧パネル１４０に保持されるようになっている。
【００５９】
ここで、図１１を用いて、化粧パネル１４０へのハウジング１００の取り付け手順について説明する。図１１は、化粧パネル１４０へのハウジング１００の取り付け手順を示した図である。
【００６０】
まず、作業者は、発光機能部１０が収容されたハウジング１００を、化粧パネル１４０の取り付け位置に向けて移動させる（図１１（ａ））。このハウジング１００の化粧パネル１４０の取り付け位置への移動の際、ハウジング１００は各ガイド切り欠き部１５２ａ内に各柱状凸部１５３が挿入されて移動方向が規制されることによって、一方向のガイド方向Ｄに沿って移動される。
【００６１】
次に、作業者は、作業者は、ガイド方向Ｄに沿ってハウジング１００をさらに移動させてハウジング１００を化粧パネル１４０への取り付け位置に配置させる（図１１（ｂ））。このハウジング１００のガイド方向Ｄでの移動によって、第一の突出部１２０ａが第一の開口部１４４内に挿入開始され、第二の突出部１３０ａが第二の開口部１４５に挿入開始されると、第一の突出部１２０ａの一対の第一の平行面１２０ｂが一対の第一のガイド面１４４ａにガイドされ、第一の突出部１２０ａが第一の開口部１４４内に配置され、第二の突出部１３０ａの一対の第二の平行面１３０ｂが一対の第二のガイド面１４５ａにガイドされ、第二の突出部１３０ａが第二の開口部１４５内に配置される。
また、ハウジング１００が化粧パネル１４０の取り付け位置に配置されると、各柱状凸部１５３が各保持切り欠き部１５２ｂ内に配置されることによって、ハウジング１００が化粧パネル１４０に保持される。
【００６２】
本発明の実施の形態２にかかる照明ユニット３は、ガイド部１５０によって一方向のガイド方向Ｄに移動されることによって、第一の突出部１２０ａが、一対の第一の平行面１２０ｂが一対の第一のガイド面１４４ａにガイドされて第一の開口部１４４内に配置され、第二の突出部１３０ａが、一対の第二の平行面１３０ｂが一対の第二のガイド面１４５ａにガイドされて第二の開口部１４５内に配置されるので、ハウジング１００が一方向での移動によって化粧パネル１４０に取り付けられ、しかも第一の開口部１４４および第二の開口部１４５の段差を低減することができるので、実施の形態１の照明ユニット１と同様に、ハウジング１００の化粧パネル１４０への取り付け作業性を容易にし、かつデザイン性を向上させることができる。
【００６３】
また、本発明の実施の形態２にかかる照明ユニット３は、第一の突出部１２０ａが、高さが第一の取り付け壁１４１の厚みと等しく形成されてなり、第二の突出部１３０ａが、高さが第二の取り付け壁１４２の厚みと等しく形成されてなるので、第一の開口部１４４および第二の開口部１４５による段差が無くなり、結果的に実施の形態１の照明ユニット１と同様に、デザイン性を向上させることができる。
【００６４】
また、本発明の実施の形態１にかかる照明ユニット１は、ハウジング１００が、ガイド部１５０によって取り付け位置に保持される保持部を有してなるので、実施の形態１の照明ユニット１と同様に、ハウジング２０を化粧パネル４０の取り付け位置に確実に保持することができる。
【００６５】
なお、本発明の実施の形態１，２にかかる照明ユニット１，２，３は、ハウジング本体部２１，１１０が光透過性を有するものを例示したが、これに限らない。すなわち、少なくとも第一の光透過部２２，１２０および第二の光透過部２３，１３０が光透過性を有していれば、その他の部分が遮光性を有していてもよい。
【００６６】
また、本発明の実施の形態１，２にかかる照明ユニット１，２，３は、発光部１２としてＬＥＤ素子１２を用いるものを例示したが、これに限らない。すなわち、光を発するものであれば発光部１２としてその他のものを用いてもよい。
【００６７】
また、本発明の実施の形態１，２にかかる照明ユニット１，２，３は、二つのＬＥＤ素子１２を有するものを例示したが、ＬＥＤ素子１２の数、すなわち発光部１２の数はこれに限らない。例えば、一つのＬＥＤ素子１２から発せられる光が第一の光透過部２２，１２０および第二の光透過部２３，１３０の両方から透過されるようにしてもよい。
【００６８】
以上、本発明者によってなされた発明を、上述した発明の実施の形態に基づき具体的に説明したが、本発明は、上述した発明の実施の形態に限定されるものではなく、その要旨を逸脱しない範囲において種々変更可能である。
【符号の説明】
【００６９】
１、２、３  照明ユニット
１０      発光機能部
１１      回路基板
１１ａ、１１ｂ  面
１２      ＬＥＤ素子
１２ａ    第一のＬＥＤ素子
１２ｂ    第二のＬＥＤ素子
２０、７０、１００  ハウジング
２１、１１０  ハウジング本体部
２１ａ、１１０ａ  開口部
２１ｂ、１１０ｂ  収容部
２１ｃ、７１、１１１  第一の面
２１ｄ、７２、１１２  第二の面
２１ｅ、１１３    屈曲された面
２１ｆ、１１０ｃ  側壁外面
２２、１２０  第一の光透過部
２２ａ、１２０ａ  第一の突出部
２２ｂ、１２０ｂ  第一の平行面
２２ｃ、１２０ｃ  上端面
２３、１３０  第二の光透過部
２３ａ、１３０ａ  第二の突出部
２３ｂ、１３０ｂ  第二の平行面
２３ｃ、１３０ｃ  上端面
２４      係合凸部
２５      係合凹部
２６、１１４  蓋部
４０、８０、１４０  化粧パネル
４１、８１、１４１  第一の取り付け壁
４１ａ、８１ａ、１４１ａ  裏面
４１ｂ、１４１ｂ  表側の面
４２、８２、１４２  第二の取り付け壁
４２ａ、８２ａ、１４２ａ  裏面
４２ｂ、１４２ｂ  表側の面
４３、８３、１４３  屈曲された面
４４、１４４  第一の開口部
４４ａ、１４４ａ  第一のガイド面
４５、１４５  第二の開口部
４５ａ、１４５ａ  第二のガイド面
６０、１５０  ガイド部
６１      第一のガイド壁
６１ａ    端部
６１ｂ    壁面
６１ｃ    係合突出部
６２      第二のガイド壁
６２ａ    端部
６２ｂ    挿通開口部
１１０ｄ  側壁
１５１    ガイド壁
１５１ａ  縁
１５２    切り欠き部
１５２ａ  ガイド切り欠き部
１５２ｂ  保持切り欠き部
１５２ｃ  狭小部
１５３    柱状凸部
Ｄ        ガイド方向
Ｗ        電線
【図１】
2013022990.tif 000003
【図２】
2013022990.tif 000004
【図３】
2013022990.tif 000005
【図４】
2013022990.tif 000006
【図５】
2013022990.tif 000007
【図６】
2013022990.tif 000008
【図７】
2013022990.tif 000009
【図８】
2013022990.tif 000010
【図９】
2013022990.tif 000011
【図１０】
2013022990.tif 000012
【図１１】
2013022990.tif 000013
【図１２】
2013022990.tif 000014